(57)【要約】    【課題】等間隔で放射状的にサーボセクタが存在する磁気ディスク装置において、性能が劣化することなく効率よくロングセクタをフォーマットできるようにする。そして、ロングセクタによって強化されるＥＣＣ性能を十分に発揮できるようにする。    【解決手段】磁気ディスク２における各ゾーン内のデータフォーマットを、複数Ｎ（Ｎは２以上の整数）本のトラックで完結させる。最外周ゾーンＺ＃１の１トラックあたりの記録容量は１５０ＫＢである。このゾーンで３２ＫＢのロングセクタを完結トラック数Ｎ＃１＝３でフォーマットする。最内周ゾーンＺ＃ｍの１トラックあたりの記録容量は８０ＫＢである。このゾーンで３２ＫＢのロングセクタを完結トラック数Ｎ＃ｍ＝２でフォーマットする。【選択図】図３
2006155728.tif 000002
【特許請求の範囲】
【請求項１】
複数のトラックを有し、該複数のトラックが半径方向に複数のゾーンに分割されている磁気ディスクにデータセクタをフォーマットする方法であって、前記ゾーン毎に前記データセクタをＮ（Ｎは２以上の整数）本のトラックを単位としてフォーマットすることを特徴とする磁気ディスクにデータセクタをフォーマットする方法。
【請求項２】
前記データセクタを前記Ｎ本のトラック内で連続してフォーマットすることを特徴とする請求項１記載の磁気ディスクにデータセクタをフォーマットする方法。
【請求項３】
前記トラックは渦巻状に連続していることを特徴とする請求項１記載の磁気ディスクにデータセクタをフォーマットする方法。
【請求項４】
前記トラックは同心円状であり、トラック間には物理的に分割されたデータセクタが存在することを特徴とする請求項１記載の磁気ディスクにデータセクタをフォーマットする方法。
【請求項５】
前記ゾーン間で異なるＮをとることを特徴とする請求項１記載の磁気ディスクにデータセクタをフォーマットする方法。
【請求項６】
前記磁気ディスクの直径は２５．４ｍｍ以下であり、前記データセクタ一個の長さは４ｋバイト以上であることを特徴とする請求項１記載の磁気ディスクにデータセクタをフォーマットする方法。
【請求項７】
前記ゾーン毎に前記データセクタをＮ（Ｎは２以上の整数）本のトラックを単位としてフォーマットするステップは、記録再生を開始するデータセクタのトラック番号がどのゾーンであるかを認識するステップと、前記ゾーンに対応したトラック数Ｎを認識するステップと、前記トラック番号を前記ゾーン内でのゾーン内トラック番号に変換するステップと、前記ゾーンのトラック数Ｎでゾーン内トラック番号をモジュロＮで演算するステップと、認識したゾーンとモジュロ演算結果から当該ゾーン内のトラックフォーマットを決定するステップと、を含むことを特徴とする請求項１記載の磁気ディスクにデータセクタをフォーマットする方法。
【請求項８】
複数のトラックを有し、該複数のトラックが半径方向に複数のゾーンに分割され、前記ゾーン毎にデータセクタをＮ（Ｎは２以上の整数）本のトラックを単位としてフォーマットされた磁気ディスクと、該磁気ディスクを保持し回転するスピンドルと、前記磁気ディスクの記録トラックに位置付けされ前記データセクタに対してデータを記録または再生する磁気ヘッドとを具備することを特徴とする磁気ディスク装置。
【請求項９】
前記データセクタは前記Ｎ本のトラック内で連続してフォーマットされていることを特徴とする請求項８記載の磁気ディスク装置。
【請求項１０】
前記トラックは渦巻状に連続していることを特徴とする請求項８記載の磁気ディスク装置。
【請求項１１】
前記トラックは同心円状であり、トラック間には物理的に分割されたデータセクタが存在することを特徴とする請求項８記載の磁気ディスク装置。
【請求項１２】
前記ゾーン間で異なるＮをとることを特徴とする請求項８記載の磁気ディスク装置。
【請求項１３】
前記磁気ディスクの直径は２５．４ｍｍ以下であり、前記データセクタ一個の長さは４ｋバイト以上であることを特徴とする請求項８記載の磁気ディスク装置。
【発明の詳細な説明】
【技術分野】
【０００１】
本発明は、磁気ディスク装置のように、ディスク状の記録媒体に、等間隔で放射状にサーボセクタを配する情報記録再生装置に係り、特に長いデータセクタ（以下ロングセクタと略す）を効率良くフォーマットする方法に関する。
【背景技術】
【０００２】
例えば１．０インチ径（直径２５．４ｍｍ）の磁気ディスクを記録媒体とする磁気ディスク装置（以下１．０ＨＤＤと言う）のあるトラックにおいて１周で８０ＫＢ（キロバイト）のデータ領域を持つと仮定する。この時、記録再生の最小単位である１データセクタが５００Ｂ（バイト）程度と短いなら、１周の終端セクタによるフォーマット効率の影響は小さい。
【０００３】
トラック１周で１データセクタに近い領域が終端セクタ位置でフォーマットできなかったとする。この時、ＥＣＣやサーボ領域等のロスによるフォーマット効率が本来８０％を確保できていれば、１データセクタ弱の領域ロスによるフォーマット効率の低下分は、８０＊（１＊０．５）／（８０）＝０．５％と小さい。
【０００４】
しかし、５００Ｂ程度の小さなデータセクタでは、データセクタ間のギャップ領域の数が多い。回転変動等によってギャップ領域が長く必要になることからフォーマット効率が劣化する。更には短いデータセクタ毎のＥＣＣ能力は、今後の高密度化によるビットエラーレート（ＢＥＲ）の低下要求に応えるだけの十分な性能を期待できない可能性がある。
【０００５】
そこで、記録再生の最小単位であるデータセクタを長くすることで、ギャップ領域の数を減らして回転変動等のフォーマットロス要因を少なくし、かつ長いデータセクタにＥＣＣを付加することで、ＥＣＣ能力を向上できるロングセクタの適用が検討されている。これに関する技術は、特許文献１に詳しい。
【０００６】
【特許文献１】特開２００２−２８８９４３号公報
【発明の開示】
【発明が解決しようとする課題】
【０００７】
図７に１．０ＨＤＤにおいてＤＶＤ（ディジタルビデオディスク）で適用しているような３２ＫＢのロングセクタを、従来技術を用いてフォーマットした例を示す。従来技術では、データセクタ（Ｓ＃１，Ｓ＃２，…，Ｓ＃１２，…）がトラック間で分割されないようにフォーマットする。即ち、ディスク２のフォーマットはディスク１周で完結する。また、磁気ディスク２の半径方向は、複数のゾーン（Ｚ＃１，Ｚ＃２，…，Ｚ＃Ｍ）に分割され、内周側と外周側で記録密度を大きく変えないように設計される。この場合のゾーン数はＭである。
【０００８】
一般に、ロングセクタの適用では、データセクタ間の回転変動等によるロス要因をなくすることでフォーマット効率の改善を期待する。しかし、このフォーマットでは、１つのデータセクタが長くなることによって以下のようなフォーマット上の新たな問題が生じる。
【０００９】
最内周ゾーンＺ＃Ｍでは、トラックＴ＃Ｘからゾーン最内周まで全てのトラックがｆｍのセクタフォーマットである。同様に、最外周ゾーンＺ＃１では、全てのトラックがＦ１のセクタフォーマットである。
【００１０】
内周ゾーンＺ＃Ｍにおいて、１周が８０ＫＢ程度のデータを記録できる領域であるとすると、１周は２．５セクタ程度の記録領域が存在する。しかし、従来技術の１トラックで完結するフォーマット方式では、２つのデータセクタ（Ｓ＃ＸとＳ＃Ｘ＋１）しかフォーマットできない。０．５データセクタに相当する未記録領域Ａは１６ＫＢ／トラックの領域にもなる。従ってフォーマット効率は、従来の５００Ｂ程度のデータセクタでのフォーマット効率を８０％と仮定すると、３２ＫＢのロングセクタのフォーマット時には、６４％（＝８０＊（３２＊２）／８０）程度と１６ポイントも低下することになる。
【００１１】
同様に最外周側のゾーンＺ＃１においても１周が１５０ＫＢ程度の容量であるとすると、１周は４．７セクタ程度の領域が存在する。しかし１トラックに４つのデータセクタしか割り当てられないので、この領域のフォーマット効率は、８０＊（３２＊４）／１５０＝６８．３％であり、１２％程度のロスになる。
【００１２】
尚、このようなフォーマットできない領域が存在するトラック（ゾーン）では、記録密度を緩めることでロスを減らす適用が想定される。しかし、この場合は隣接するゾーンとの間で線記録密度が大きく変化する問題が発生する。例えば、３つのデータセクタで効率よくフォーマットされたゾーンＺ＃Ｉがあるとして、これに隣接した外周側ゾーンＺ＃Ｉ−１でのフォーマットを考える。ゾーンＺ＃Ｉ−１で記録密度を上げない方向に、フォーマットロス無く２つのデータセクタを割り付けたとすると、ゾーンＺ＃Ｉ−１のゾーンＺ＃Ｉとの境界での記録密度は、隣接するゾーンＺ＃Ｉの記録密度に比べて２／３未満と非常に低くなる。ロングセクタを採用して１トラックのセクタが少数の場合、結果として非常に記録密度のバランスが悪いＨＤＤとなる。
【００１３】
フォーマット効率の１％の劣化は、概ね信号品質の０．２デシベルの劣化に相当する。従って、１５％前後のフォーマット効率の劣化は、３デシベル程度の信号品質の劣化に相当する。この劣化は、ロングセクタを適用してデータセクタ間のギャップのロスを改善したり、ＤＶＤで採用しているような強化されたエラー訂正コード（ＥＣＣ）を適用しても到底回復不可能である。即ち、１．０ＨＤＤのような小径のディスクに対して、従来技術でロングセクタを適用しようとしても、フォーマットできない領域が存在するために、ロングセクタの効果がフォーマットロスで相殺されることが判る。
【００１４】
尚、上記では１．０ＨＤＤのような小径のＨＤＤに３２ＫＢのロングセクタを適用する場合を説明したが、０．８５インチ径のＨＤＤは勿論、１．８、２．５、３．５インチ径のＨＤＤでも、後述の実施例で説明するように、小径のＨＤＤに４ＫＢ以上のロングセクタを適用する場合、程度の差こそあれフォーマット効率の低下の問題が存在する。
【００１５】
本発明の目的は、磁気ディスク上に等間隔で放射状的にサーボセクタが存在する磁気ディスク装置において、性能が劣化することなく効率よくロングセクタをフォーマットできるようにすることである。そして、ロングセクタによって強化されるＥＣＣ性能を十分に発揮できるようにすることである。
【課題を解決するための手段】
【００１６】
上記発明の目的を達成するために、本発明の磁気ディスクにデータセクタをフォーマットする方法においては、複数のトラックを有し、複数のトラックが半径方向に複数のゾーンに分割されている磁気ディスクを、前記ゾーン毎にデータセクタをＮ（Ｎは２以上の整数）本のトラックを単位としてフォーマットすることを特徴とする。
【００１７】
前記データセクタを前記Ｎ本のトラック内で連続してフォーマットする。
【００１８】
前記トラックは渦巻状に連続していることが望ましい。
【００１９】
前記トラックは同心円状であり、トラック間には物理的に分割されたデータセクタが存在するものであっても良い。
【００２０】
前記ゾーン間で異なるＮをとる。
【００２１】
前記磁気ディスクの直径は２５．４ｍｍ以下であり、前記データセクタ一個の長さは４ｋｂｙｔｅ以上である。
【００２２】
前記磁気ディスクにデータセクタをフォーマットする方法は、前記磁気ディスクの記録再生を開始するデータセクタのトラック番号がどのゾーンであるかを認識するステップと、前記ゾーンに対応したトラック数Ｎを認識するステップと、前記トラック番号を前記ゾーン内でのゾーン内トラック番号に変換するステップと、前記ゾーンのトラック数Ｎでゾーン内トラック番号をモジュロＮで演算するステップと、認識したゾーンとモジュロ演算結果から当該ゾーン内のトラックフォーマットを決定するステップと、を含む。
【００２３】
上記目的を達成するために、本発明の磁気ディスク装置においては、複数のトラックを有し、複数のトラックが半径方向に複数のゾーンに分割され、前記ゾーン毎にデータセクタをＮ（Ｎは２以上の整数）本のトラックを単位としてフォーマットされた磁気ディスクと、磁気ディスクを保持し回転するスピンドルと、前記磁気ディスクの記録トラックに位置付けされ前記データセクタに対してデータを記録または再生する磁気ヘッドとを具備することを特徴とする。
【００２４】
前記データセクタは前記Ｎ本のトラック内で連続してフォーマットされている。
【００２５】
前記トラックは渦巻状に連続していることが望ましい。
【００２６】
前記トラックは同心円状であり、トラック間には物理的に分割されたデータセクタが存在するものであっても良い。
【００２７】
前記ゾーン間で異なるＮをとる。
【００２８】
前記磁気ディスクの直径は２５．４ｍｍ以下であり、前記データセクタ一個の長さは４ｋｂｙｔｅ以上である。
【発明の効果】
【００２９】
本発明によれば、ロングセクタをフォーマット効率よく磁気ディスク装置のフォーマットに適用することができる。また、ロングセクタの適用によって、強力なＥＣＣの効果を発揮でき、磁気ディスク上の欠陥に強い磁気ディスク装置が実現できる。さらに、０．８５ＨＤＤ、１．０ＨＤＤのような小径のＨＤＤにロングセクタを適用する場合に特に効果がある。
【発明を実施するための最良の形態】
【００３０】
本発明の第１の実施例を、図１から図４を用いて説明する。本実施例は、本発明を１インチ径の磁気ディスク装置（１．０ＨＤＤ）に３２ＫＢのロングセクタを適用したものである。１．０ＨＤＤは、機構系からなるヘッドディスクアセンブリ（ＨＤＡ）１００と、主に回路系からなるパッケージ基板（ＰＣＢ）２００とから構成される。図１に１．０ＨＤＤの構成を示す。ヘッドディスクアセンブリ（ＨＤＡ）１００は、筐体（ベース）８にスピンドル５を介して組み込まれた磁気ディスク２と、ボイスコイルモータ（ＶＣＭ）７で駆動されるアクチュエータ４に接続されたサスペンション３の先端に採り付けた磁気ヘッド１と、磁気ヘッド１を電気的に駆動するリードライトＩＣ（Ｒ／ＷＩＣ）１１が搭載されたフレキシブルプリンテェッドケーブル（ＦＰＣ：図示せず）とから構成される。磁気ディスク２を一定回転数で回しながら、アクチュエータ４で磁気ヘッド１を移動して任意の位置で記録再生する。
【００３１】
磁気ヘッド１で再生されたサーボ信号領域１３の信号は、Ｒ／ＷＩＣ１１で増幅してからＰＣＢ２００のリードチャネルＩＣ（ＲＤＣ）３８のサーボ復調回路でサーボ復調する。この復調結果に基づいてマイクロプロセッサ（ＭＰＵ）３４がモータの回転速度や磁気ヘッド１の位置を認識し、サーボコントローラ（ＳＣ）３３を制御する。ＳＣ３３は、この制御に基づいて、モータ１２の回転制御を介してディスクの回転１４を４２００ｒｐｍに精密制御すると共に、アクチュエータ４のＶＣＭ７の電流を制御してシーク動作１５やトラックフォロイング動作を制御する。
【００３２】
本実施例では、連続的に記録再生を実施する際のトラック間シーク動作を回避するために、ＳＣ３３はＲＤＣ３８のサーボ復調結果に基づいて、図２Ａに示すように外周から内周方向に渦巻状に連続してトラックフォロイングさせる。このようなデータトラックを渦巻状に形成するスパイラルサーボ技術に関しては、特開平１１−３１３６７号公報が詳しい。
【００３３】
ハードディスクコントローラ（ＨＤＣ）３２は記録再生すべきトラック位置のデータセクタのフォーマットを後述する手順で認識し、ＲＤＣ３８やＲ／ＷＩＣ１１に記録再生制御を指示する。記録時には、ユーザーデ―タ１６を取り込んだＲＡＭ３７の値をＨＤＣ３２でエラー訂正コード（ＥＣＣ）等を付加して磁気ディスク２の所定の領域に記録する。再生時には、所定の位置にある磁気ヘッド１から読み出された磁化信号をＲＤＣ３８がデジタルデータに復調して、更にＨＤＣ３２でエラーをチェック／訂正してＲＡＭ３７に記録する。ＲＯＭ３６には、磁気ディスク２のＨＤＤ１００の起動時のシーケンスや、データのフォーマット、磁気ディスク２の管理情報エリアを読むために必要な情報（プログラムや制御のためのデータ）を記録する。
【００３４】
図３に３２ＫＢサイズのロングセクタを磁気ディスク２上にフォーマットした概略図を示す。磁気ディスク２の記録領域は、半径方向にｍ個のゾーン（Ｚ＃１−Ｚ＃ｍ）に分割され、外周側ゾーン（Ｚ＃１）から内周側ゾーンＺ＃ｍ）にかけて記録周波数を下げ、各ゾーンの記録密度が大きく変わらないようにしている。
【００３５】
各ゾーンの切換え部分でＲＤＣ３８内のシンセサイザの記録周波数を切換える時間（安定するまでの数十〜数百ｕｓｅｃ）が必要である。本実施例では、トラックがスパイラルに構成されているので、シンセサイザの記録周波数を切換える時間を記録再生しない空走領域とする。この空走領域でロスがわずかに生じるが、その比率は極めて小さい。例えば１０００トラックのゾーンに５００ｕｓｅｃの空走領域を設けた場合のフォーマットロスは０．００１％未満（＞５００ｕｓｅｃ／（７０ｍｓｅｃ＊１０００））である。
【００３６】
最外周ゾーンＺ＃１のディスクフォーマットを同図の上部に示す。１トラックあたりの記録容量は１５０ＫＢである。このゾーンで３２ＫＢのロングセクタを完結トラック数Ｎ＃１＝３でフォーマットする。完結トラック数とは、トラックフォーマットが繰り返される単位を表している。
【００３７】
Ｔ＃１では、Ｓ＃１〜Ｓ＃４に３２ＫＢ、Ｓ＃５−１に２２ＫＢを割り当てる（Ｆ１−０フォーマット）。続くＴ＃２では、Ｓ＃５−２に１０ＫＢ、Ｓ＃６〜Ｓ＃９に３２ＫＢ、Ｓ＃１０−１に１２ＫＢを割り当てる（Ｆ１−１フォーマット）。Ｔ＃３では、Ｓ＃１０−２に２０ＫＢ、Ｓ＃１１〜Ｓ＃１４に３２ＫＢを割り当てる（Ｆ１−２フォーマット）。Ｔ＃４の前には、２ＫＢ分の未記録領域が残るのみである。
【００３８】
図７の１トラックで完結する従来のフォーマット技術では、各トラックで２２ＫＢの未記録領域があった（３トラックでは６６ＫＢ）。これが２ＫＢに低減でき、非常に大きな改善であることが判る。
【００３９】
Ｔ＃４はＴ＃１と、Ｔ＃５はＴ＃２、Ｔ＃６はＴ＃３とそれぞれ同じフォーマットである。即ちゾーン内のトラック番号をＴｚとし、そのゾーンの完結トラック数をｎとすると、ＭＯＤｎ（Ｔｚ）によるｎ通りのトラックフォーマットが繰返される。
【００４０】
図３の下部に、最内周ゾーンＺ＃ｍのフォーマットを示す。１トラックあたりの記録容量は８０ＫＢである。このゾーンで３２ＫＢのロングセクタを完結トラック数Ｎ＃ｍ＝２でフォーマットする。Ｔ＃ｘでは、Ｓ＃ｘ〜Ｓ＃ｘ＋１に３２ＫＢ、Ｓ＃ｘ＋２−１に１６ＫＢを割り当てる（Ｆｍ−０フォーマット）。続くＴ＃ｘ＋１では、Ｓ＃ｘ＋２−２に１６ＫＢ、Ｓ＃ｘ＋３〜Ｓ＃ｘ＋４に３２ＫＢを割り当てる（Ｆｍ−１フォーマット）。
【００４１】
図示しないが、この時少し記録密度を上げた１トラック当たり２．６データセクタ分を配分する（８３．２ＫＢ）例を考える。この場合は５つのトラックの４１６ＫＢの領域にまたがってフォーマットすることによって、１３個のデータセクタ（３２＊１３＝４１６ＫＢ）をロス無く実装することができる。
【００４２】
尚、スパイラルサーボとの組合せでは、トラックはシークすることなく次のトラックに移る。従ってＨＤＣ３２は、図３におけるゾーンＺ＃１のＳ＃５−１とＳ＃５−２、Ｓ＃１０−１とＳ＃１０−２は、その他のロングセクタと同様に扱え、Ｆ１−０〜Ｆ１−２のフォーマットを容易に実現できる。また、図２Ｂの同心円状にトラックフォロイングする構成と比較して、シーケンシャル記録再生のパフォーマンスが向上する。このため、一定のファイルを読み出す時間が短縮でき、ＨＤＤの動作時間短縮による消費電力低減が可能である。
【００４３】
また、同心円状にトラックフォロイングするフォーマット構成では、トラック間で物理的に分割されたデータセクタが認識できる。
【００４４】
図４にトラックフォーマットの決定シーケンスを示す。記録再生を開始するデータセクタが存在するトラック番号Ｔ＃ｘからゾーンＺ＃ｉが認識され（ステップ５０）、Ｔ＃ｘとＺ＃ｉからゾーン内のトラック番号ＴＺｘに変換する（ステップ５１）。ゾーンＺ＃ｉからそのゾーンの完結トラック数Ｎ＃ｊが認識され（ステップ５２）、Ｎ＃ｊとＴＺｘからモジュール変換手段ＭＯＤがモジュロ演算を行いｋ値を算出し（ステップ５３）、Ｚ＃ｉとｋからトラックフォーマットＦｉ−ｋを決定する（ステップ５４）。モジュール変換手段ＭＯＤにおけるモジュロ演算は、除算により余りを求める整数演算のことであり、ある整数ａを整数ｎで割ったときの余りを「ＭＯＤｎ（ａ）」と表す。
【００４５】
本実施例によれば、１．０ＨＤＤに３２ＫＢのようなロングセクタを効率よくフォーマットでき、ＥＣＣによる性能向上を享受できる。また、スパイラルサーボとの組合わせによって、シーケンシャル記録再生のパフォーマンスの向上や消費電力の低減が期待できる。
【００４６】
尚、本実施例ではデータトラックを渦巻状に形成するスパイラルサーボとの組合せとしたが、図２Ｂに示すようなデータトラックを同心円状に形成する場合にも、トラック間のシーク時間を考慮して、図３に示すような複数のトラック間で完結するトラックフォーマットが適用できることは明らかである。
【００４７】
本発明の第２の実施例を、図５を用いて説明する。本実施例は、本発明を１インチ径の磁気ディスク装置（１．０ＨＤＤ）に４ＫＢのロングセクタを適用したものである。第１の実施例との違いは、データセクタなので、この部分のみを説明する。
【００４８】
図５にディスクフォーマットを示す。最外周ゾーンＺ＃１のディスクフォーマットを同図の上部に示す。１トラックあたりの記録容量は１５０ＫＢである。このゾーンで４ＫＢのロングセクタを完結トラック数Ｎ＃１＝２でフォーマットする。Ｔ＃１では、Ｓ＃１〜Ｓ＃３７に４ＫＢ、Ｓ＃３８−１に２ＫＢを割り当てる（Ｆ１−０フォーマット）。続くＴ＃２では、Ｓ＃３８−２に２ＫＢ、Ｓ＃３９〜Ｓ＃７５に４ＫＢを割り当てる（Ｆ１−１フォーマット）。
【００４９】
最内周ゾーンＺ＃ｍの１トラックあたりの記録容量は８０ＫＢであり、１トラックに２０個のデータセクタを割り付けられる。即ち完結トラック数Ｎ＃ｍ＝１であり、このゾーンのフォーマットは従来と同じ技術でフォーマットできる。
【００５０】
最外周ゾーンＺ＃１で従来技術でフォーマットすると、２ＫＢの未記録領域が存在する。これが本発明によるフォーマットの適用によってゼロに出来る。この時のフォーマット効率の改善は、サーボ領域やＥＣＣ領域を除いた記録再生が可能な領域の比率を８０％とすると、１．１％（＝８０＊２／１５０）である。即ち、１．０ＨＤＤのような小径のＨＤＤでは、４ＫＢ程度のサイズの比較的小さなロングセクタサイズでもフォーマット効率の改善効果が期待できる。これより小さなサイズのＨＤＤ（例えば０．８５インチのＨＤＤ）でも同等以上の効果が期待できることは言うまでもない。
【００５１】
本発明の第３の実施例を、図６を用いて説明する。本実施例は、本発明を３．５インチ径の磁気ディスク装置（３．５ＨＤＤ）に３２ＫＢのロングセクタを適用したものである。第１の実施例との違いは、磁気ディスクのサイズやディスク枚数であるが、ＨＤＤの構造等は図１と殆ど同じであるので省略する。
【００５２】
図６の上部にゾーンＺ＃１〜Ｚ＃ｍのレイアウトを、中部にＺ＃ｉでのトラックフォーマットを、そして下部にはデータセクタＤＳとサーボセクタＳＳとセクタパルスＳＰの関係を示す。
【００５３】
中周近傍のゾーンＺ＃ｉのトラックは、１周で４９６ＫＢの記録領域ある。このゾーンＺ＃ｉの完結トラック数Ｎ＃ｉを２にすることにより未記録領域がなくせる。Ｔ＃ｘでは、Ｓ＃ｘ＋１〜Ｓ＃ｘ＋１５に３２ＫＢ、Ｓ＃１６−１に１６ＫＢを割り当てる（Ｆ１−０フォーマット）。続くＴ＃ｘ＋１では、Ｓ＃ｘ＋１６−２に１６ＫＢ、Ｓ＃ｘ＋１７〜Ｓ＃ｘ＋３１に３２ＫＢを割り当てる（Ｆ１−１フォーマット）。
【００５４】
データセクタＳ＃ｘ＋１７とＳ＃ｘ＋１８との間を同図の下部に示す。本実施例でのサーボセクタＳＳの１周当たりの個数は、２１６としている。従って、サーボセクタ間のデータ領域の長さは約２．３ＫＢであり、適用するロングセクタのサイズ（３２ＫＢ）よりはるかに小さい。平均的には１３．９サーボセクタがロングセクタをスプリットする。このため、多くのサーボセクタ間ではセクタパルスＳＰが存在しない。従って、ＨＤＣ３２によるトラック毎のデータセクタのフォーマットは、データセクタが切換わるサーボセクタ間で詳細に制御すればよい。
【００５５】
このときの従来技術に対するフォーマット効率の改善は、サーボ領域やＥＣＣ領域を除いた記録再生が可能な領域の比率を８０％とすると、２．６％（＝８０＊１６／４９６）程度である。１．０インチのような小径ディスクに比べて適用効果は少なくなるものの、３２ＫＢのロングセクタ適用時に本発明の適用効果が期待できる。１．８インチや２．５インチ、３インチのＨＤＤではこれ以上の効果が期待できることは明らかである。
【図面の簡単な説明】
【００５６】
【図１】本発明の第１の実施例による磁気ディスク装置の構成を示す図である。
【図２Ａ】磁気ディスクのデータトラックの構成例を示す図である。
【図２Ｂ】磁気ディスクのデータトラックの構成例を示す図である。
【図３】本発明の第１の実施例によるデータフォーマットの構成を示す図である。
【図４】本発明の第１の実施例によるトラックフォーマットの決定シーケンスを示す図である。
【図５】本発明の第２の実施例によるデータフォーマットの構成を示す図である。
【図６】本発明の第３の実施例によるデータフォーマットの構成を示す図である。
【図７】従来技術によりロングセクタをフォーマットした場合のデータフォーマットの構成を示す図である。
【符号の説明】
【００５７】
１…磁気ヘッド、２…磁気ディスク、３…サスペンション、４…アクチュエータ、５…スピンドル、７…ＶＣＭ、８…ベース（筐体）、１１…リードライトＩＣ、１３…サーボ信号領域、３２…ハードディスクコントローラ（ＨＤＣ）、３３…サーボコントローラ（ＳＣ）、３４…マイクロプロセッサ（ＭＰＵ）、３８…リードチャネルＩＣ（ＲＤＣ）、Ｔ＃Ｘ…データトラック、Ｓ＃Ｘ…データセクタ、Ｚ＃Ｉ…データゾーン、Ｎ＃Ｉ…完結トラック数。
【図１】
2006155728.tif 000003
【図２Ａ】
2006155728.tif 000004
【図２Ｂ】
2006155728.tif 000005
【図３】
2006155728.tif 000006
【図４】
2006155728.tif 000007
【図５】
2006155728.tif 000008
【図６】
2006155728.tif 000009
【図７】
2006155728.tif 000010